(57)【要約】【課題】  商品イメージを自由に作成し、その作成した商品イメージを受発注情報と一体的に扱えるようにすることにより、商品イメージと商品名との間違いをなくし、確実なる受発注業務を行うことができるようにした受発注処理システムを提供すること。【解決手段】  受発注処理システムは、受発注情報を格納するサーバーと、サーバーに通信回線を介して接続されていて各種の情報を入力できるクライアントコンピュータとを備え、受発注に関するテキスト情報及び画像情報とを一体として商品の受発注処理を行うことができる。サーバーは、受発注に関する情報を格納する各種テーブル、品目・得意先・ユーザ等の情報を格納する各種マスタ及び商品の画像情報を格納する画像情報格納エリアからなるデーターベースを備える。クライアントコンピュータはサーバーへ受発注情報を与えてデーターベースに書き込み読み出しができ、入力情報を基に描画手段によって受発注に係る商品の画像情報を描画作成できる。【選択図】  図１
2006172413.tif 000002
【特許請求の範囲】
【請求項１】
受発注情報を格納するサーバーと、前記サーバーに通信回線を介して接続されていて各種の情報を入出力できるクライアントコンピュータとを備え、受発注に係る商品のテキスト情報及び当該商品の画像情報とを一体として当該商品の受発注処理を行うことができる受発注処理システムであって、
前記サーバーは、受発注に関する情報を格納する各種テーブル、少なくとも品目・得意先・ユーザ等の情報を格納する各種マスタ及び商品の画像情報を格納する画像情報格納エリアからなるデーターベースを備え、
前記クライアントコンピュータは、前記サーバーへ商品に関する受発注情報を与えて前記データーベースに書き込み、あるいは、前記サーバーへ商品に関する受発注情報を与えて前記データーベースから受発注に必要な情報を読み出する受発注処理手段と、所定の入力情報を与えることにより受発注に係る商品の画像情報を作成できる描画手段とを備えたことを特徴とする受発注処理システム。
【請求項２】
前記サーバーでは、前記各種テーブルは、請求テーブル、請求内訳テーブル、発注テーブル、発注内訳テーブル、入金テーブル、入金内訳テーブル、支払テーブル、支払内訳テーブル及び手形管理テーブルを少なくとも有し、前記各種マスタ品目マスタは、得意先マスタ、ユーザマスタ及びコードマスタを少なくとも有し、前記画像情報格納エリアは、イメージ格納エリアと作図情報格納エリアを有することを特徴とする請求項１記載の受発注処理システム。
【請求項３】
前記クライアントコンピュータでは、前記描画手段は、入力手段から入力された位置情報を基に表示画面上に商品の画像を表示し、受発注に係る商品の画像情報を作図できる手段を有し、前記受発注処理手段は、商品に関するテキスト情報及び当該商品の商品画像情報を一体に処理する手段を有し、かつ、前記サーバーと通信回線を介して通信ができる通信手段を少なくとも備えたことを特徴とする請求項１記載の受発注処理システム。
【請求項４】
前記クライアントコンピュータは、複数台備わっているものであることを特徴とする請求項１記載の受発注処理システム。
【請求項５】
受発注に関する情報を格納する各種テーブル、少なくとも品目・得意先・ユーザ等の情報を格納する各種マスタ及び受発注に係る商品の画像情報を格納する画像情報格納エリアからなるデーターベースと、商品に関する受発注情報を与えて前記データーベースに書き込み、あるいは、商品に関する受発注情報を与えて前記データーベースから受発注に必要な情報を読み出する受発注処理手段と、所定の入力情報を与えることにより受発注に係る商品の画像情報を作成できる描画手段とを備えたコンピュータからなり、受発注に関するテキスト情報及び画像情報とが一体となって商品の受発注処理を行うことができる受発注処理システム。
【発明の詳細な説明】
【技術分野】
【０００１】  本発明は受発注処理システムに係り、特に受発注する商品の画像情報を容易に描画でき、その描画した受発注商品の画像情報を、受発注する商品のテキスト情報に附加して一体に扱えるようにすることにより、商品イメージと商品名との間違いをなくし、確実なる受発注業務を行うことができるようにした受発注処理システムに関するものである。
【背景技術】
【０００２】  従来、この種の受発注システムとしては、例えば発注装置と受注装置とがネットワークを介して接続された受発注システムであって、前記発注装置は、テキスト情報と画像情報を入力する入力手段と、戦記入力手段により入力された情報を商品上に付与したイメージを表示する表示手段と、前記情報が付与された商品の注文を指示する注文指示手段と、前記指示された注文情報をネットワークを介して前記受注装置に送信する送信手段とが設けられており、前記受注装置は、ネットワークを介して前記発注装置からの注文情報を受信する受信手段と、前記受信した注文情報に応じて前記情報が付与された商品の製作開始を指示する製作開始指示手段とを備えたものが提案されている（特許文献１参照）。【０００３】  この受発注システムによれば、テキスト情報と画像情報とを入力して、その情報が付与された商品の注文を指示することができるので、商品の発注を簡単に行うことができる利点があるほか、所定の情報が付与された商品のイメージを表示できるので、版下作成及び校正の処理を簡単に行うことができるという利点がある。
【特許文献１】  特開２００２−７４０８７号公報
【発明の開示】
【発明が解決しようとする課題】
【０００４】  しかしながら、上述した従来の受発注システムによれば、イメージ情報は会社ロゴ、写真などであって、注文商品の形状に関するものではなく、固定的なイメージ情報であり自由に商品イメージを作成したりできるものではないという欠点があった。
本発明は、上述した従来技術の欠点を解消し、商品イメージを自由に作成し、その作成した商品イメージを受発注情報と一体的に扱えるようにすることにより、商品イメージと商品名との間違いをなくし、確実なる受発注業務を行うことができるようにした受発注処理システムを提供することを目的とする。
【課題を解決するための手段】
【０００５】  上記目的を達成するために、請求項１記載の受発注処理システムは、受発注情報を格納するサーバーと、前記サーバーに通信回線を介して接続されていて各種の情報を入出力できるクライアントコンピュータとを備え、受発注に係る商品のテキスト情報及び当該商品の画像情報とを一体として当該商品の受発注処理を行うことができる受発注処理システムであって、
前記サーバーは、受発注に関する情報を格納する各種テーブル、少なくとも品目・得意先・ユーザ等の情報を格納する各種マスタ及び商品の画像情報を格納する画像情報格納エリアからなるデーターベースを備え、
前記クライアントコンピュータは、前記サーバーへ商品に関する受発注情報を与えて前記データーベースに書き込み、あるいは、前記サーバーへ商品に関する受発注情報を与えて前記データーベースから受発注に必要な情報を読み出す受発注処理手段と、所定の入力情報を与えることにより受発注に係る商品の画像情報を作成できる描画手段とを備えたことを特徴とするものである。
請求項２記載の発明では、請求項１記載の受発注処理システムにおいて、前記サーバーでは、前記各種テーブルは、請求テーブル、請求内訳テーブル、発注テーブル、発注内訳テーブル、入金テーブル、入金内訳テーブル、支払テーブル、支払内訳テーブル及び手形管理テーブルを少なくとも有し、前記各種マスタ品目マスタは、得意先マスタ、ユーザマスタ及びコードマスタを少なくとも有し、前記画像情報格納エリアは、イメージ格納エリアと作図情報格納エリアを有することを特徴とするものである。
請求項３記載の発明では、請求項１記載の受発注処理システムにおいて、前記クライアントコンピュータでは、前記描画手段は、入力手段から入力された位置情報を基に表示画面上に商品の画像を表示し、受発注に係る商品の画像情報を作図できる手段を有し、前記受発注処理手段は、商品に関するテキスト情報及び当該商品の商品画像情報を一体に処理する手段を有し、かつ、前記サーバーと通信回線を介して通信ができる通信手段を少なくとも備えたことを特徴とするものである。
請求項４記載の発明では、請求項１記載の受発注処理システムにおいて、前記クライアントコンピュータは、複数台備わっているものであることを特徴とするものである。
上記目的を達成するために、請求項５記載の発明に係る受発注処理システムは、受発注に関する情報を格納する各種テーブル、少なくとも品目・得意先・ユーザ等の情報を格納する各種マスタ及び受発注に係る商品の画像情報を格納する画像情報格納エリアからなるデーターベースと、商品に関する受発注情報を与えて前記データーベースに書き込み、あるいは、商品に関する受発注情報を与えて前記データーベースから受発注に必要な情報を読み出する受発注処理手段と、所定の入力情報を与えることにより受発注に係る商品の画像情報を作成できる描画手段とを備えたコンピュータからなり、受発注に関するテキスト情報及び画像情報とが一体となって商品の受発注処理を行うことができるものであることを特徴とするものである。
【発明の効果】
【０００６】  本発明に係る受発注処理システムによれば、受発注に係る商品の画像情報を容易に描画でき、その描画した受発注商品の画像情報を、受発注する商品のテキスト情報に附加して一体に扱えるようにすることにより、商品イメージと商品名との間違いをなくし、確実なる受発注業務を行うことができるという効果がある。
また、本発明に係る受発注処理システムによれば、入力手段からの位置情報を基に表示画面上に画像を表示し、それによって受発注に係る商品の画像情報を手書き感覚で作成することができる。
【発明を実施するための最良の形態】
【０００７】  以下、本発明を実施するための最良の形態について図面を参照して説明する。
図１は、本発明を実施するための最良の形態に係る受発注処理システムを示す概略ブロック図である。
本発明を実施するための最良の形態に係る受発注処理システム１は、例えば本社などに設置されている基本的なハードウエア構成として、各種のデータベースやテーブルを有するサーバー３と、前記サーバー３に通信回線（本社内ローカルエリアネットワーク（ＬＡＮ）５）を介して接続され前記サーバー３にアクセスできるクライアントコンピュータ７，７，…とからなる。また、この受発注処理システム１は、他の営業所に設置されているクライアントコンピュータ７ａ，７ａ，…が通信回線（営業所内ＬＡＮ５ａ、地域ＩＰ網９、本社内ＬＡＮ５）を介してサーバー３にアクセスできるようになっている。また、本社内ＬＡＮ５には本社内プリンタ１１及びデジタルファクシミリ装置１３が接続されており、営業所内ＬＡＮ５ａにも営業所内プリンタ１１ａ及びデジタルファクシミリ装置１３ａが接続されている。【０００８】  この受発注処理システム１では、本社内ＬＡＮ５は、ハブ５１と、ハブ５１に接続されるケーブル５２と、ハブ５１に接続されるルータ５３と、ルータ５３に接続され地域ＩＰ網９にも接続される光モデム（ＯＮＵ）５５とからなる。さらに、この受発注処理システム１では、営業所内ＬＡＮ５ａは、ハブ５１ａと、ハブ５１ａに接続されるケーブル５２ａと、ハブ５１ａに接続されるルータ５３ａと、ルータ５３ａに接続され地域ＩＰ網にも接続される光モデム（ＯＮＵ）５５ａとからなる。
なお、前記本社内クライアントコンピュータ７，７，…は、ケーブル５２、ハブ５１、ルータ５３及びＯＮＵ５５を介してインターネットに接続可能である。同様に、営業所内のクライアントコンピュータ７ａ，７ａ，…も、ケーブル５２ａ、ハブ５１ａ、ルータ５３ａ及びＯＮＵ５５ａを介してインターネットに接続可能である。【０００９】  前記サーバー３は、図示しないが、例えばインテルペンテアム４・処理速度２［ＧＨｚ］程度の中央演算処理装置（ＣＰＵ）と、例えば２［Ｇバイト］程度の容量を有する主メモリと、７２［Ｇバイト］程度の容量を有するハードディスク装置とを有するコンピュータ本体と、このコンピュータ本体に接続され各種表示データを表示できるディスプレイとを少なくとも備えたものが望ましい。なお、前記サーバー３には、データやデータベース及びテーブルなどをバックアップするテープ装置と、停電や瞬間停電に対応するためのＵＳＰ装置が設けられている。
前記サーバー３は、例えばウインドウズ（登録商標）２０００やＵＮＩＸやその他の言語からなるオペレーティングシステム（ＯＳ）が動作するとともに、当該ＯＳ上でデーターベースプログラム、その他の必要なアプリケーションプログラムが動作するようになっていればよい。【００１０】  図２は、本発明を実施するための最良の形態に係る受発注処理システムにおいて使用される本社内クライアントコンピュータあるいは営業所内クライアントコンピュータの構成例を示すブロック図である。
前記本社内クライアントコンピュータ７，７，…と、前記営業所内クライアントコンピュータ７ａ，７ａ，…とは、図２に示すように、例えばインテルペンテアム４・処理速度１［ＧＨｚ］程度の中央演算処理装置（ＣＰＵ）、例えば１［Ｇバイト］程度の容量を有する主メモリ及び所定の容量を有するハードディスク装置とを有するパソコン（ＰＣ）本体７１と、このＰＣ本体７１に接続され各種表示データを表示できるディスプレイ装置７２と、前記ＰＣ本体７１に接続されたキーボード７３及びマウス７４とから構成されているものが望ましい。なお、ノート型パーソナルコンピュータ（以下、「ノートパソコン」という）を使用する場合には、キーボード、ディスプレイ装置はＰＣ本体と一体的に構成されている。また、上記ＰＣ本体７１あるいはノートパソコンも、ＬＡＮカードが内蔵されているものとする。
前記本社内クライアントコンピュータ７，７，…及び前記営業所内クライアントコンピュータ７ａ，７ａ，…のＰＣ本体７１は、例えばウインドウズ（登録商標）２０００またはウインドウズ（登録商標）ＸＰ、ＵＮＩＸ、その他の言語によるＯＳが動作し、当該ＯＳ上において動作するアプリケーションプログラム（作図プログラムや受発注処理プログラムやその他のプログラム）が動作できるようになっていればよい。【００１１】  なお、前記作図プログラムがＰＣ本体７１のＣＰＵで処理されると、例えばマウス７４などの入力手段からの位置情報を取り込み、当該位置情報に基づいてディスプレイ装置７２の画面上に画像を描画し、所望の商品の形状を手書き感覚で作図できる描画手段が実現されることになる。また、前記受発注処理プログラムがＰＣ本体７１のＣＰＵで処理されると、前記サーバー３へ商品に関する受発注情報を与えて前記データーベース３０に書き込み、あるいは、前記サーバー３へ商品に関する受発注情報を与えて前記データーベース３０から受発注に必要な情報を読み出す受発注処理手段が実現される。
また、前記本社内クライアントコンピュータ７は、前記サーバー３との間で通信回線（本社内ＬＡＮ５）を介して通信ができる通信手段を備えている。前記営業所内クライアントコンピュータ７ａは、前記サーバー３との間で通信回線（営業所内ＬＡＮ５ａ、地域ＩＰ網９、本社内ＬＡＮ５）を介して通信ができる通信手段と備えている。
なお、本社内クライアントコンピュータ７も、営業所内クライアントコンピュータ７ａも、ＰＣ本体７１の電源を投入すると、ＰＣ本体７１内のイニシャルロードプログラムによってハードディスク装置内のＯＳが呼び出されて主メモリに展開記憶され、この主メモリ上のＯＳをＰＣ本体７１のＣＰＵが処理することにより、動作が開始できるようになっている。また、さらに本社内クライアントコンピュータ７も、営業所内クライアントコンピュータ７ａも、ＰＣ本体７１において自動スタートにより、あるいは、手動で起動かけることにより、本発明を実施するための最良の形態に係る受発注処理システムにおけるクライアントコンピュータ７，７ａを動作させるべきアプリケーションプログラムをハードディスク装置から読み出して主メモリ上に展開記憶させて、かつ、ＰＣ本体７１のＣＰＵが前記主メモリに展開記憶されているアプリケーションプログラムを実行することにより、本発明を実施するための最良の形態に係る受発注処理システムにおけるクライアントコンピュータ７，７ａで処理すべき内容を処理することができる。【００１２】  図３は、本発明を実施するための最良の形態に係る受発注処理システムにおけるサーバーが格納しているデーターベース一覧を示す図である。
この図３において、前記サーバー３のハードディスク装置には、データーベース３０が設けられている。このデーターベース３０は、受注データを管理する受注テーブル３１と、受注データの明細内訳を管理する受注内訳テーブル３２と、請求データを管理する請求テーブル３３と、請求データの明細内訳を管理する請求内訳テーブ３４と、発注データを管理する発注テーブル３５と、発注データの明細内訳を管理する発注内訳テーブル３６と、入金データを管理する入金テーブル３７と、入金データの明細内訳を管理する入金内訳テーブル３８と、支払データを管理する支払テーブル３９と、支払データの明細内訳を管理する支払内訳テーブル４０と、手形の管理をする手形管理テーブル４１と、単品ごとの在庫数量を管理する在庫管理テーブル４２と、単品ごとの在庫数量の変更履歴を管理する在庫履歴テーブル４３と、単品ごとの商品情報を管理する品目マスタ４４と、受注先・発注先を管理する得意先マスタ４５と、事業所管理をする事業所マスタ４６と、アプリケーションプログラムを利用できるユーザを管理するユーザマスタ４７と、単位、型、材質等のコードを管理するコードマスタ４８と、所定の加工物のイメージデータを格納しているイメージ格納エリア４９と、新たに作図した作図データを格納している作図画像格納エリア５０とを少なくとも備えている。【００１３】  図４は、本発明を実施するための最良の形態に係る受発注処理システムを採用した受発注の全体的流れを説明するための説明図である。図５は、本発明を実施するための最良の形態に係る受発注処理システムにおいてイメージデータの作成について説明するための図である。図６及び図７は、本発明を実施するための最良の形態に係る受発注処理システムにおいて得られる伝票を説明するための図である。【００１４】  まず、本発明を実施するための最良の形態に係る受発注処理システム１を採用した場合の受発注業務について図３を参照しながら説明する。
まず、お得意様から電話、ファックスなどで商品の仕様等の情報が付与された見積依頼があったとする（図４のステップ（Ｓ）１０１）。これにより、当該受発注処理システム１を設置してある受注者側では、当該受発注処理システム１の例えば本社内クライアントコンピュータ７，７，…の一つを起動し、当該クライアントコンピュータ７のＰＣ本体７１の「アクセス（登録商標）等」のデータベースアプリケーションプログラムを起動して前記サーバー３のデータベース３０にアクセスし得意先マスタ４５、事業所マスタ４６、品目マスタ４４、コードマスタ４８などを検索して必要な受注先や品目等のデータを取り出し、かつ、当該クライアントコンピュータ７のＰＣ本体７１で作図用アプリケーションプログラム（作図プログラム）を起動する。前記本社内クライアントコンピュータ７のＰＣ本体７１の内部において、作図プログラムが動作すると、前記ＰＣ本体７１の内部に描画手段が実現される。この本社内クライアントコンピュータ７のＰＣ本体７１の内部で実現されている描画手段の制御の下に、マウス７４などの入力手段を用いて手書き感覚で作図をすると、これがディスプレイ装置７２の画面上に表示され、ディスプレイ装置７２の画面上に表示された商品が所望の形状になったと作業者が判断すると、その手書きした図面をクライアントコンピュータ７のＰＣ本体７１に格納する（図４のＳ１０２）。また、この作図した商品画像情報は、前記クライアントコンピュータ７のＰＣ本体７１から前記サーバー３のデーターベース３０の作図画像格納エリア５０に格納される。【００１５】  すなわち、手書きで図面を作成する場合には、例えば本社内クライアントコンピュータ７のＰＣ本体７１の内部で描画手段が実現されているので、前記ＰＣ本体７１に接続されたディスプレイ装置７２上には、図５に示すような作図用の作図メイン画像８００が表示される。そこで、前記本社内クライアントコンピュータ７のＰＣ本体７１に接続されたマウス７４を用いて位置情報を入力して作図動作をさせると、ディスプレイ装置７２の図５に示す作図画像８０１の上には商品イメージ８５０が描画されることになる。作業者が所定の商品イメージ８５０が所望とするものになったと判断したときに、ディスプレイ装置７２の図５に示す作図画像８０１の上の登録ボタンなど必要なボタンをマウス７４などを用いて押下することにより、手書きで作図した商品の図面情報が前記クライアントコンピュータ７のＰＣ本体７１から本社内ＬＡＮ５を介して前記サーバー３のデーターベース３０の作図画像格納エリア５０に格納されるとともに、商品のテキスト情報もサーバー３のデーターベース３０の所定のテーブルに格納されることになる。【００１６】  上述したように作図が終了すると、前記本社内クライアントコンピュータ７のＰＣ本体７１は、受注に係る商品のテキスト情報と当該商品の作図された商品イメージ情報とをサーバー３のデーターベース３０より取り出して、受注に係る商品のテキスト情報と当該商品の作図された商品イメージ情報が一体的に表示された見積書データを作成し、当該見積書データをデジタルファクシミリ装置１３を介してお得意様に転送するか、あるいは、当該見積書データをメール��付でお得意様に転送する（図４のＳ１０３）。【００１７】  ここで、お得意様から、電話、ファクシミリあるいはメール等で所定の仕様の商品の発注があると（図４のＳ１０４）、当該受発注処理システム１を設置してある受注者側では、受発注処理システム１の本社内クライアントコンピュータ７を起動してサーバー３から必要な情報を取り出し、修正の必要があれば修正をして、再び、発注いただいた発注内容を前記本社内クライアントコンピュータ７を介して前記サーバー３のデーターベース３０に再格納するとともに、工場へ出荷指示をする（図４のＳ１０５）。このときには、受発注処理システム１の本社内クライアントコンピュータ７は、図示しない出荷指示書と、図６に示す納品書９１０と、図７に示す納品受領書９３０とを本社内プリンタ９で印刷等する指示を出し、それら書類類を印刷して工場へ渡し製造、出荷指示を行う。
なお、納品書９１０は、図６に示すように、商品のテキスト情報（書類名９１１、日付９１２、顧客情報９１３、品名９１４、員数９１５、数量９１６、単価９１７、金額９１８、納入者名９１９など）とともに、商品の図面９２０が印刷されている。
同様に、前記納品受領書９３０は、図７に示すように、商品のテキスト情報（書類名９３１、日付９３２、顧客情報９３３、品名９３４、員数９３５、数量９３６、単価９３７、金額９３８、納入者名９３９など）とともに、商品の図面９４０が印刷されている。【００１８】  そして、商品が製造されたところで（図４のＳ１０６）、出荷作業になる（図４のＳ１０７）。このときには、製造された商品のほかに、前記納品書９１０及び前記納品受領書９３０が共にお得意様に配送される。
また、商品がお得意様に納入されたところで、受発注処理システム１の例えば本社内のクライアントコンピュータ７を使用し、請求書を作成して（図４のＳ１０８）、お得意様に請求をする。一定の時間経過後に、お得意様より支払がなされるので（図４のＳ１０９）、例えば本社内のクライアントコンピュータ７を使用し前記サーバー３のデーターベース３０にアクセスして、営業管理に必要な管理帳票を作成し（図４のＳ１１０）、一連の受発注処理を終了する。【００１９】  本発明を実施するための最良の形態に係る受発注処理システム１によれば、受発注する商品の画像情報を容易に描画でき、その描画した受発注商品の画像情報を、受発注する商品のテキスト情報に附加して一体に扱えるようにすることにより、商品イメージと商品名との間違いをなくし、確実なる受発注業務を行うことができるという効果がある。
なお、本発明を実施するための最良の形態に係る受発注処理システム１では、すべての処理段階で商品の画像情報をテキスト情報とともに一体的に扱うので、間違いのない処理が可能になる。【００２０】  図８は、本発明を実施するための最良の形態に係る受発注処理システムにおけるイメージデータの作成の他の例について説明するための図である。
例えば前記本社内クライアントコンピュータ７で作図をする場合、ＰＣ本体７１では、前記サーバー３のデーターベース３０のイメージ格納エリア４９から特定の加工品のイメージデータを呼び出すと、ディスプレイ装置７２の画面上には図８の画面８６０に示すような各種の定物８０１，８０２，８０３，８０４の図面が表示される。
そこで、作業者がマウス７４を使用して、例えば第１番目の定物８６１の表示画面を選択して作図画面８７０上にドラッグすると（図８のＳ２０１）、当該定物８６１の画面８６１ａがディスプレイ装置７２上の作図画面８７０上に表示されるとともに、カスタムプロパティ画面８８０が表示されるので、カスタムプロパティ画面８８０に当該定物８６１の各部の寸法をキーボード７３を用いて入力し、カスタムプロパティ画面８８０のＯＫボタンをマウス７４などで押下すると、当該定物８６１の形状は入力された寸法が反映された形状に変化する（図８のＳ２０２）。このように寸法が反映された定物８６１ｘでよい場合には、画面８８０の下部にある登録ボタンを押下すると、サーバー３のデーターベース３０の所定のエリアに登録されてこれら画面が閉じることになる（図９のＳ２０３）。なお、画面８８０の下部にある削除ボタンを押下すると、当該定物８６１の図形は消去されて、これらの画面が閉じることになる（図９のＳ２０４）。また、画面８８０の下部にある終了ボタンを押下すると、当該表示画面を閉じることになる（図９のＳ２０５）。【００２１】  そして、受発注処理システム１の本社内クライアントコンピュータ７のディスプレイ装置７２に表示されている伝票等発行に必要なボタンを押すなどして、当該サーバー３のデーターベース３０に格納されている当該定物８０１のテキスト情報及び画像情報を取り出し、本社内プリンタ１１等を用いて伝票等の発行をすればよい。【００２２】  本発明を実施するための最良の形態に係る受発注処理システムによれば、予め登録されている定物の図形情報に寸法を入力するだけで、寸法データが定物の図形情報に反映するので、定物の作図等が簡単に終了することができる。【００２３】  上記受発注処理システム１では、サーバー３、本社内ＬＡＮ５、本社内クライアントコンピュータ７，７，…、営業所内ＬＡＮ５ａ、クライアントコンピュータ７ａ，７ａ，…からなるものであったが、次のような構成であってもよい。
すなわち、本発明を実施するための他の最良の形態に係る受発注処理システムは、一つのコンピュータから構成したものであって、前記一つのコンピュータには、受発注に関する情報を格納する各種テーブル、少なくとも品目・得意先・ユーザ等の情報を格納する各種マスタ及び受発注に係る商品の画像情報を格納する画像情報格納エリアからなるデーターベースと、商品に関する受発注情報を与えて前記データーベースに書き込み、あるいは、商品に関する受発注情報を与えて前記データーベースから受発注に必要な情報を読み出する受発注処理手段と、所定の入力情報を与えることにより受発注に係る商品の画像情報を作成できる描画手段とを備えさせ、この一つのコンピュータにより、受発注に関するテキスト情報及び画像情報とが一体となって商品の受発注処理を行うことができるようにしたものであってもよい。
この場合には、コンピュータが一つでよいので、構成が簡単で安価にシステムを提供できる効果がある。
【図面の簡単な説明】
【００２４】
【図１】  本発明を実施するための最良の形態に係る受発注処理システムを示す概略ブロック図である。
【図２】  本発明を実施するための最良の形態に係る受発注処理システムにおいて使用される本社内クライアントコンピュータあるいは営業所内クライアントコンピュータの構成例を示すブロック図である。
【図３】  本発明を実施するための最良の形態に係る受発注処理システムにおけるサーバーが格納しているデーターベース一覧を示す図である。
【図４】  本発明を実施するための最良の形態に係る受発注処理システムを採用した受発注の全体的流れを説明するための説明図である。
【図５】  本発明を実施するための最良の形態に係る受発注処理システムにおいてイメージデータの作成について説明するための図である。
【図６】  本発明を実施するための最良の形態に係る受発注処理システムにおいて得られる納品書伝票を説明するための図である。
【図７】  本発明を実施するための最良の形態に係る受発注処理システムにおいて得られる納品受領書伝票を説明するための図である。
【図８】  本発明を実施するための最良の形態に係る受発注処理システムにおけるイメージデータの作成の他の例について説明するための図である。
【符号の説明】
【００２５】１・・・受発注処理システム
３・・・サーバー
５・・・本社内ＬＡＮ
５ａ・・・営業所内ＬＡＮ
７・・・本社内クライアントコンピュータ
７ａ・・・営業所内クライアントコンピュータ
９・・・本社内プリンタ
９ａ・・・営業所内プリンタ
５１，５１ａ・・・ハブ
５２，５２ａ・・・ＬＡＮケーブル
５３，５３ａ・・・ルータ
５５，５５ａ・・・ＯＮＵ（モデム装置）
７１・・・ＰＣ本体
７２・・・ディスプレイ装置
７３・・・キーボード
７４・・・マウス
７５・・・デジタイザ
【図１】
2006172413.tif 000003
【図２】
2006172413.tif 000004
【図３】
2006172413.tif 000005
【図４】
2006172413.tif 000006
【図５】
2006172413.tif 000007
【図６】
2006172413.tif 000008
【図７】
2006172413.tif 000009
【図８】
2006172413.tif 000010